(57)【要約】【課題】  スイッチボタン５の周囲から水や埃が本体ケース１内部に浸入しても、スイッチボタン５の周囲に水垢となって溜まることなく、スイッチボタンの操作性を良好に保てるようにした空気清浄機を提供する。【解決手段】  吸気口３を具えた前カバー２に、前カバーに対して出没自在に配備され、出没動作により本体ケース内のスイッチ２１を操作するスイッチボタン５と、前カバー２の裏面に取り付けられ、前カバーと共同でスイッチボタン５の出没量を規制してスイッチボタンを前カバーに取り付ける取付部材１５と、取付部材に形成され、スイッチボタン５が本体ケース内へ向かって押し込まれた際にスイッチボタンの周縁と当接してスイッチボタンを受け止める受止片１９とを有し、受止片１９の下部は開放して水の逃がし路２３を形成したものである。【選択図】    図３
2009154065.tif 000002
【特許請求の範囲】
【請求項１】
吸気口より本体ケース内に吸引した外気をフィルタで浄化した後、吐出口より本体ケース外へ放出する空気清浄機において、
前記吸気口を具え、前記本体ケースの前面開口部に着脱自在に装着される前カバーと、
該前カバーに、前カバーに対して出没自在に配備されて出没動作により本体ケース内のスイッチを操作するスイッチボタンと、
前カバーの裏面に取り付けられ、前カバーと共同でスイッチボタンの出没量を規制してスイッチボタンを前カバーに取り付ける取付部材と、
取付部材に形成され、スイッチボタンが本体ケース内へ向かって押し込まれた際にスイッチボタンの周縁と当接してスイッチボタンを受け止める受止片とを有し、
受止片の下部は開放して水の逃がし路を形成したことを特徴とする空気清浄機。
【請求項２】
前記受止片は、スイッチボタン周縁の上半分を受け止めるように、取付部材に形成されている請求項1に記載の空気清浄機。
【請求項３】
前記スイッチボタンは前カバーに複数個配備され、各スイッチボタンの出没量を規制する取付部材を一体化してなる請求項1又は請求項２に記載の空気清浄機。
【請求項４】
本体ケースには、空気清浄機の動作状況を知らせるＬＥＤを配備し、該ＬＥＤが発光する光を前カバーに設けた穴より目視するためにＬＥＤと穴との間に介在されるレンズを、前記取付部材に一体に形成してなる請求項１乃至請求項３のいずれかに記載の空気清浄機。
【発明の詳細な説明】
【技術分野】
【０００１】
本発明は、吸気口より本体ケース内に吸引した外気をフィルタで浄化した後、吐出口より本体ケース外へ放出する空気清浄機に関する。
【背景技術】
【０００２】
従来空気清浄機は、本体ケースの前面側に、本体ケース内に設けたスイッチを操作するスイッチ操作部や動作状況を表示する発光ダイオード（ＬＥＤ）を設けたもの（特許文献１参照）や、本体ケースの上面側に、スイッチ操作部や動作状況を表示する表示手段を設けたもの（特許文献２参照）等が知られている。
【特許文献１】特開平３−６８４１２号公報
【特許文献２】特公平８−１００６８号公報
【発明の開示】
【発明が解決しようとする課題】
【０００３】
このような従来の空気清浄機では、本体ケースの前面側や上面側とスイッチ操作部との隙間から、水や埃が本体ケース内部に浸入してスイッチ操作部の周囲に水垢となって溜まりやすく、スイッチ操作部の操作に悪影響を与えるものであった。これを避けるために、スイッチ操作部をフィルム状のシートで被ったものがあるが、コスト高になるものであった。
【０００４】
本発明はかかる背景のもとになされたもので、スイッチ操作部から水や埃が本体ケース内部に浸入しても、スイッチ操作部の周囲に水垢となって溜まることなく、スイッチ操作部の操作性を良好に保てるようにした空気清浄機を提供することを目的とする。
【課題を解決するための手段】
【０００５】
本発明は、吸気口より本体ケース内に吸引した外気をフィルタで浄化した後、吐出口より本体ケース外へ放出する空気清浄機であって、前記吸気口を具え、本体ケースの前面開口部に着脱自在に装着される前カバーと、前カバーに、前カバーに対して出没自在に配備されて出没動作により本体ケース内のスイッチを操作するスイッチボタンと、前カバーの裏面に取り付けられ、前カバーと共同でスイッチボタンの出没量を規制してスイッチボタンを前カバーに取り付ける取付部材と、取付部材に形成され、スイッチボタンが本体ケース内へ向かって押し込まれた際にスイッチボタンの周縁と当接してスイッチボタンを受け止める受止片とを有し、受止片の下部は開放して水の逃がし路を形成したものである。
【０００６】
具体的には、前記受止片は、スイッチボタン周縁の上半分を受け止めるように、取付部材に形成したものである。
【０００７】
またスイッチボタンが前カバーに複数個配備される場合、各スイッチボタンの出没量を規制する取付部材を一体化する。
【０００８】
また、本体ケースには、空気清浄機の動作状況を知らせるＬＥＤを配備し、該ＬＥＤが発光する光を前カバーに設けた穴より目視するためにＬＥＤと穴との間に介在されるレンズを、前記取付部材に一体に形成したものである。
【発明の効果】
【０００９】
本発明の空気清浄機によれば、スイッチボタンの周囲から水や埃が浸入しても、スイッチボタンを受け止める受止片の下部が開放して水の逃がし路が形成されているので、この逃がし路から水や埃が通り抜け、スイッチボタンの周囲に水垢となって溜まることはなく、スイッチボタンの操作性を良好に保つことができる。特に前カバーは本体ケースに対して着脱自在になっているので、前カバーを取り外して、吸気口に貯まった埃やスイッチボタン周囲を水洗いすることができる。
【００１０】
また、スイッチボタンが前カバーに複数個配備される場合に、各スイッチボタンを前カバーと共同して取り付ける取付部材を一体化したり、空気清浄機の動作状況を知らせるＬＥＤを設けたものでは、ＬＥＤの光を前カバーに設けた穴より目視するためにＬＥＤと穴との間に介在されるレンズを、前記取付部材に一体に形成すれば、部品点数が削減され、組立ても簡単にすることができる。
【発明を実施するための最良の形態】
【００１１】
本発明の空気清浄機の実施形態を図に基づいて説明する。図１は空気清浄機全体の斜視図を示し、空気清浄機の本体ケース１は前面が開口してその前面開口部に前カバー２が着脱自在に取り付けられ、前カバー２には外気を本体ケース１内に取り入れるスリット状の吸気口３が形成されている。本体ケース１内には、図示しないが、吸気口３より吸引した外気中に含まれる塵埃や臭い成分を除去するフィルタ装置や、フィルタ装置を通って浄化された空気を本体ケース１の上面に設けた吐出口４より放出するために、吸気口３から吐出口４に至る空気の流れを作る送風機等、周知の装置が配備されている。
【００１２】
前カバー２の上部には、空気清浄機の各種動作を操作するスイッチボタン５、６が設けられている。図１において、最も右側に位置するスイッチボタン５は、運転の入り切りと、運転モードを選択するものである。運転モードは、空気の汚れに応じて、自動的に運転開始・停止を行うと共に送風機の強弱を調整する自動モードと、送風機を好み強さに設定する手動モードがあり、当該スイッチボタン５を押す毎に、順次切り替わるものである。スイッチボタン５の横には、スイッチボタン５により選択したモード（手動モードに置いては送風機の強さ）を表示するための５個の発光ダイオード７（ＬＥＤ）からなる表示部８が配備されている。また、スイッチボタン６は運転時間を設定するタイマーで、その横に、設定した運転時間を表示するための３個のＬＥＤ９からなる表示部１０が配備されている。また、最も左側の表示部３０は、空気の汚れの程度をＬＥＤ１１の色の変化（赤・黄・緑）によって知らせるものである。
【００１３】
次にスイッチボタン５、６の前カバー２への取り付について、図２〜図４に基づいて説明する。これら二つのスイッチボタン５、６の取り付けは同じなので、スイッチボタン５について説明する。前カバー２にはスイッチボタン５が出没するための丸穴１２が形成され、丸穴１２の裏側には丸穴１２より径の大きな環状スカート部１３が本体ケース１内へ向かって形成されている。スイッチボタン５の周壁の中程には円形の鍔部１４が形成されている。鍔部１４の直径は、丸穴１２より大きく、スカート部１３より小さい。
【００１４】
前カバー２の裏面には、前カバー２と共同してスイッチボタン５を支持する取付部材１５が固着されている。図３、図４に示すように、取付部材１５には、上下方向に固着腕１６、１６が延設され、この固着腕１６に設けた穴に前カバー２の裏面に突設したピンを通して溶着１７することにより、取付部材１５は前カバー２に固着されている。取付部材１５には、スカート部１３の外側に嵌り込む開口部１８が形成され、開口部１８の上部よりスイッチボタン５の鍔部１４の上半分を被うように半円状の受止片１９が開口部１８の中心側に向かって形成されている。前カバー２と取付部材１５は、合成樹脂、例えば、前カバー２はＡＢＳ樹脂で、取付部材１５はＡＳ樹脂で作られている。
【００１５】
スイッチボタン５の前カバー２への取り付けは、前カバー２の裏側からスイッチボタン５を丸穴１２に通す。この際、丸穴１２より径の大きい鍔部１４が丸穴１２に当るので、スイッチボタン５が丸穴１２より抜け出ることはない。その後、取付部材１５を前カバー２に固着する。スイッチボタン５を前カバー２の内側（本体ケース１内）へ押し込むと、スイッチボタン５の周縁である鍔部１４のほぼ上半分（上半分より若干下方領域まで及んでいる）が取付部材１５の受止片１９に当たり、それ以上押し込めない。受止片１９は鍔部１４のほぼ上半分しか当っていないが、スイッチボタン５を充分に保持することができる。即ちスイッチボタン５は前カバー２と取付部材１５とで、その出没量が規制されて、前カバー２に取り付けられる。
【００１６】
スイッチボタン５の裏側と対面する位置には、プリント基板２０に取り付けられたスイッチ２１が配置されている。スイッチボタン５を押すことにより、このスイッチ２１の動作部２２を押圧してスイッチ２１を操作する。スイッチボタン５から手を離すと動作部２２の復元力によりスイッチボタン５は元の位置に戻る。スイッチボタン５の出没動作はスカート部１３によってガイドされてスムーズにできる。
【００１７】
ところでスイッチボタン５の周囲と丸穴１２の間から、水や埃が前カバー２内に浸入した場合、取付部材１５の受止片１９が鍔部１４のほぼ上半分に対応する上側にしか形成されてなく、受止片１９のほぼ下半分が開放されているので、浸入した水や埃はこの開放部２３から通り抜け、スイッチボタン５の周囲に水垢となって貯まることはない。即ちこの開放部２３が水の逃がし路となる。図２〜図４の矢印Ｆは、水の流れを示す。仮に受止片１９が図６のように鍔部１４の全周に対面するように設けられていると、スイッチボタン５の周囲と丸穴１２の間から矢印Ｇの如く浸入した水は、流れ出ることなく、同図の斜線部Ｈに示すように、受止片１９内の下部に貯まってしまい、水垢となってしまうところであるが、逃がし路２３によりこのようなことはなく、スイッチボタン５の操作を良好に保つことができる。
【００１８】
また、図６のように受止片１９を鍔部１４の全周に対面するように設けた場合、受止片１９の下部に水抜き穴を設けて逃がし路とすることもできるが、成形が簡単ではなく、また水抜き穴が詰まり易く、余り好ましくない。図２〜図４のように、受止片１９のほぼ下半分を開放して逃がし路２３とすれば、成形も簡単で、水が詰まることもない。
【００１９】
スイッチボタン５を取り付けた前カバー２には、吸気口３が設けられており、吸気口３には、埃が付着しやすい。そこで前カバー２を本体ケース１より取り外して水洗いをする場合、水がスイッチボタン５にかかって丸穴１２より浸入しても、逃がし路２３より逃げるので、吸気口３をスイッチボタン５に注意を払うことなく充分に洗うことができる。また万が一スイッチボタン５と丸穴１２との間に水垢が詰まっても、前カバー２を外してスイッチボタン５の周囲を水洗いすることができるので、常に清潔に保つことができる。
【００２０】
以上でスイッチボタン５の取り付けについて説明したが、残りのスイッチボタン６についても同様である。ここで残りのスイッチボタン６を取り付けるための取付部材１５は、図５に示すようにスイッチボタン５の取付部材１５と横に伸びた連結腕２５で連結されて一体に形成されている。連結腕２５にはさらに、前記表示部８、１０、３０のＬＥＤ７、９、１１が発光する光を、前カバー２に設けた穴２６より目視するために、これらのＬＥＤ７、９、１１と穴２６との間に介在されるレンズ２７をも一体形成している。このような構成にすることにより、部品点数が削減できるばかりか、組立て工数も大幅に削減できるという効果を奏する。
【００２１】
図１５は、他の実施例を示す。この実施例では、スイッチボタン５と、スイッチ２１との間に、中間スイッチボタン６０を介在させたものである。中間スイッチボタン６０は、本体ケース１側の適所に固定された合成樹脂製の取付枠体６１に一体成形されている。この取付枠体６１には、中間スイッチボタン６０を被うようにフィルム上のシート６２が貼り付けてある。スイッチボタン５を押すと、中間スイッチボタン６０を介してスイッチ２１の動作部２２が押されてスイッチ操作がなされる。
【００２２】
このような構成であると、万一前カバー２を本体ケース１より取り外すのを忘れて前カバー２を取り付けたまま水洗いした場合でも、中間スイッチボタン６０はシート６２により覆われているので、スイッチボタン５の周囲から侵入した水は、矢印Ｆのように流れ落ち、基板２０やスイッチ２１等を水から保護することができる。
【００２３】
以上の説明では、空気清浄機を床に置いて使用する場合について説明したが、図７のように、壁に掛けて使用する場合がある。この場合、床置きの場合とは上下反転して吐出口４を下に向け、浄化された空気が矢印のように下方へ吹き出されるようにして使用する。なお、図７の空気清浄機と図１の空気清浄機は若干形状が違うが機能は同じである。壁に取り付けた鉤状の金具を空気清浄機背面に設けた凹部３１に引っ掛けて壁に掛ける。この場合、空気清浄機の本体ケース１が壁に衝突して壁を傷つけることがないように、図７のように、壁掛け状態における空気清浄機の下方に、壁との間に介在するようクッション材３２を取り付けている。壁掛け使用は、空気清浄機の使用全体の１０％未満であり、殆どが床置き使用であるので、クッション材３２は、空気清浄機の完成品の中に備品として準備しておくことはせず、壁掛け使用をする場合に備えて別売されている。従って、クッション材は割高になっていた。
【００２４】
そこでこのクッション材３２を、空気清浄機の梱包用の段ボール紙を利用して作ることが考えられる。それを図８〜図１０に示す。梱包用の段ボール箱３３の上フラップ３４の一部に、予め図８（ａ）のようなミシン目３５を入れておき、壁掛け使用する場合、ここを段ボール箱３３本体から切り離す。
【００２５】
図８（ｂ）に示すこの切り離したダンボール片３６を、更に５つの小片３７に分割し、これらの小片３７を同図（ｃ）のように上下に積み重ねてクッション材３８としたものである。小片３７同士は両面テープ３９で張り合わせる。このようにして作ったクッション材を両面テープ４０により空気清浄機背面に貼り付けて使用する。
【００２６】
図９では切り離したダンボール片３６を屏風状に折り曲げてクッション材４１としたもので、空気清浄機背面へは両面テープ４２で貼り付ける。図１０ではさらに、屏風状に折り曲げたダンボール片３６の広がりを抑制するために、折り曲げた各片同士を両面テープ４３で貼り合せたものである。
【００２７】
このように不要になった梱包用のダンボール箱３３を利用してクッション材３８、４１を作れば壁掛け使用のためのコストを安くできる。
【００２８】
また、前カバー２に設けたスイッチボタン５、６や表示部８、１０、３０には、これらの機能を表示するための文字が書かれた表示パネルが貼り付けてあるが、壁掛け使用の場合、上下反転して使用するので、このパネルに書かれた文字が反転して読みづらくなる。そこで図１１乃至図１４に上下反転した場合の一対策例を示している。
【００２９】
図１１乃至図１４は前カバー２に貼り付けられる表示パネルの一例を示す。これらの図では本発明の実施例とは異なり、前カバー２に一体にスイッチボタン５、６を形成してタクトスイッチ２１を操作するもを示しており、前カバー２には、スイッチボタン５、６や表示部８、１０、３０の全面を被うフィルム状の表示パネル５０を貼り付けている。図１１の表示パネル５０は床置き用の機種に貼り付けられるもので、スイッチボタン５、６や表示部８、１０、３０の全面を被っている。図１３は壁掛け用の表示パネル５１で、床置き用の表示パネル５０の上から貼り付けられる。この壁掛け用の表示パネル５１のスイッチボタン５、６に対応する部分には穴５２が設けられ、スイッチボタン５、６は、壁掛け用であっても床置き用の表示パネル５０の上から操作するようになっている。これは、スイッチボタン５、６の上に、２枚の表示パネル５０、５１が貼られた場合に、操作感が悪くなることを防止するためである。
【００３０】
また壁掛け用の表示パネル５１の表示部８、１０、に対応する部分にも穴５２と連続した長穴５３が設けられ、さらに、表示部３０に対応する部分にも丸穴５４が設けられ、ＬＥＤ７、９、１１の光を床置き用の表示パネル５０の上から認識するようになっている。これもＬＥＤ７、９、１１（実際は図５に示すようにレンズ２７である）の上に２枚の表示パネル５０、５１が貼られている場合、ＬＥＤの光が見難くなることを防止するためである。
【００３１】
壁掛け用の表示パネル５１の床置き用表示パネル５０への貼り付けには、弱粘タイプの糊が使用され、剥がした場合に糊の残骸が生じないようにして、何回でも床置き用表示パネル５０の上から貼りつけられるようにするのが好ましい。
【００３２】
このようにすることにより、壁掛け使用も床置き使用と代わらない状態で使用することがきる。
【図面の簡単な説明】
【００３３】
【図１】本発明の空気清浄機全体を示す斜視図である。
【図２】同空気清浄機の前カバーのスイッチボタンの部分を示す正面図である。
【図３】図２におけるＡ−Ａ線に基づく断面図である。
【図４】図３において、前カバーを裏側から見た背面図である。
【図５】図１におけるＢ−Ｂ線に基づく断面図である
【図６】受止片が全周にある場合の水の流れを示す図３に対応した断面図である。
【図７】空気清浄機を壁掛け使用した場合の側面図を示す。
【図８】壁掛け使用の場合に使用されるクッション材と、クッション材の素になる梱包用段ボール箱を示すもので、（ａ）はダンボール箱を示し、（ｂ）は段ボール箱より切り離したダンボール片を示し、（ｃ）はクッション材を示す。
【図９】壁掛け使用の場合に使用されるクッション材の他の例を示す。
【図１０】壁掛け使用の場合に使用されるクッション材の更に他の例を示す。
【図１１】床置き使用の場合に使用される前面表示パネルで、前カバーに貼り付けた状態を示す。
【図１２】床置き使用された場合の図１１におけるＣ−Ｃ線に基づく断面図である。
【図１３】壁掛け使用の場合に使用される前面表示パネルで、床置き使用の表示パネルの上に貼り付けた状態を示す。
【図１４】壁掛け使用された場合の図１３におけるＤ−Ｄ線に基づく断面図である。
【図１５】本発明の他の実施例を示す図３に相当する断面図である。
【符号の説明】
【００３４】
３    吸気口
１    本体ケース
４    吐出口
２    前カバー
２１  スイッチ
５    スイッチボタン
６    スイッチボタン
１５  取付部材
１９  受止片
２３  逃がし路
７    ＬＥＤ
９    ＬＥＤ
１１  ＬＥＤ
２６  穴
２７  レンズ
【図１】
2009154065.tif 000003
【図２】
2009154065.tif 000004
【図３】
2009154065.tif 000005
【図４】
2009154065.tif 000006
【図５】
2009154065.tif 000007
【図６】
2009154065.tif 000008
【図７】
2009154065.tif 000009
【図８】
2009154065.tif 000010
【図９】
2009154065.tif 000011
【図１０】
2009154065.tif 000012
【図１１】
2009154065.tif 000013
【図１２】
2009154065.tif 000014
【図１３】
2009154065.tif 000015
【図１４】
2009154065.tif 000016
【図１５】
2009154065.tif 000017